(57)【要約】【課題】庫内ダクト部材における中央部吹出口から冷蔵室内へ吹き出される冷気の量を多くできるとともに、冷気ダクト内で冷気が滞留することを防止でき、ひいては冷却性能の向上を図る。【解決手段】冷蔵室の後部に形成される冷気ダクト２０を前方から覆う庫内ダクト部材２１には、上部に上部吹出口２８を設け、左右方向の中央部部分に中央部吹出口３０を設ける。中央部吹出口３０は、上下方向に複数個ずつで、左右方向に４列設けている。庫内ダクト部材２１の裏面には、冷気ダクト２０を上方に向かって狭めるように左右一対の冷気ガイド部３３を設ける。冷気ガイド部３３を設けたことにより、庫内ダクト部材２１における中央部吹出口３０から冷蔵室内へ吹き出される冷気の量を多くできるとともに、冷気ダクト２０内で冷気が滞留することを防止できる。【選択図】図３
2011080693.tif 000002
【特許請求の範囲】
【請求項１】
冷蔵庫本体に設けられた冷蔵室と、
この冷蔵室の後部に、冷気ダクトを前方から覆うように設けられた庫内ダクト部材と、
冷却器により冷却された冷気を前記冷気ダクトに導入して当該冷気ダクトの下側から上側へ向けて流すファン装置と、
前記冷気ダクトの上部でかつ左右方向の中央部分に設けられ、前記冷気ダクトを流れた冷気を前記冷蔵室内に吹き出す上部吹出口と、
前記庫内ダクト部材の左右方向の中央部分でかつ上下方向に延びるように設けられ、前記冷気ダクトを流れる冷気を前記冷蔵室内に吹き出す中央部吹出口と、
前記庫内ダクト部材の裏面に前記冷気ダクトを上方に向かって狭めるように設けられ、前記冷気ダクトを流れる冷気を前記中央部吹出口付近に集めるように案内する冷気ガイド部と、を備えたことを特徴とする冷蔵庫。
【請求項２】
前記冷気ガイド部は、前記庫内ダクト部材の上下方向の中央部付近から上部にかけて配置されていることを特徴とする請求項１記載の冷蔵庫。
【請求項３】
前記庫内ダクト部材の裏面において、前記中央部吹出口の横に位置させて横方向に張り出すように設けられ、前記冷気ダクトを上方へ向けて流れる冷気を受けて前記中央部吹出口側へ導くように案内する張出し部を設けたことを特徴とする請求項１または２記載の冷蔵庫。
【発明の詳細な説明】
【技術分野】
【０００１】
本発明は、冷蔵室の後部に、冷気ダクトを前方から覆うように設けられた庫内ダクト部材を備えた冷蔵庫に関する。
【背景技術】
【０００２】
冷蔵庫においては、冷蔵室の後部に、冷気ダクトを前方から覆うように平板状の庫内ダクト部材を設け、その庫内ダクト部材には、左右方向の中央部分に位置させて中央部吹出口を上下方向に複数設け、また、庫内ダクト部材の周縁部のうち、左右両側縁部と内箱との間の隙間を側部吹出口とするとともに、上縁部と内箱との間の隙間を上部吹出口とし、冷却器により冷却された冷気を、ファン装置の送風作用により前記冷気ダクト内に導入して下側から上側に向けて流すことにより、前記中央部吹出口、左右の側部吹出口、及び上部吹出口から冷蔵室内に向けて吹き出すようにすることで、冷蔵室を冷却する構成としたものがある（例えば、特許文献１参照）。
【先行技術文献】
【特許文献】
【０００３】
【特許文献１】特開２００８−４５８４４号公報
【発明の概要】
【発明が解決しようとする課題】
【０００４】
上記したような構成のものにおいて、前記中央吹出口から冷蔵室内へ吹き出される冷気の量を多くするために、左右両側の側部吹出口を閉鎖若しくは開口量を極小さくするとともに、上部吹出口を左右方向の中央部のみとすることが考えられる。
【０００５】
このような構成とした場合には、冷気の主な吹出口が、中央吹出口と、上部中央部の上部吹出口に限られるため、冷気ダクトの左右両側の上部付近で冷気が滞留し勝ちとなる。冷気ダクト内で冷気が滞留すると、その滞留した冷気は、庫内ダクト部材を介して冷蔵室内の比較的温度が高い庫内空気と熱交換して温度上昇し、その熱が、吹出口から冷蔵室内に吹き出される冷気にも影響し、結果的に冷却性能が低下するという問題がある。
【０００６】
本発明は上記した事情に鑑みてなされたものであり、その目的は、庫内ダクト部材における中央部吹出口から冷蔵室内へ吹き出される冷気の量を多くできるとともに、冷気ダクト内で冷気が滞留することを防止でき、ひいては冷却性能の向上を図ることができる冷蔵庫を提供することにある。
【課題を解決するための手段】
【０００７】
上記した目的を達成するために、本発明の冷蔵庫は、冷蔵庫本体に設けられた冷蔵室と、この冷蔵室の後部に、冷気ダクトを前方から覆うように設けられた庫内ダクト部材と、冷却器により冷却された冷気を前記冷気ダクトに導入して当該冷気ダクトの下側から上側へ向けて流すファン装置と、前記冷気ダクトの上部でかつ左右方向の中央部分に設けられ、前記冷気ダクトを流れた冷気を前記冷蔵室内に吹き出す上部吹出口と、前記庫内ダクト部材の左右方向の中央部分でかつ上下方向に延びるように設けられ、前記冷気ダクトを流れる冷気を前記冷蔵室内に吹き出す中央部吹出口と、前記庫内ダクト部材の裏面に前記冷気ダクトを上方に向かって狭めるように設けられ、前記冷気ダクトを流れる冷気を前記中央部吹出口付近に集めるように案内する冷気ガイド部と、を備えたことを特徴とする。
【発明の効果】
【０００８】
本発明によれば、庫内ダクト部材の裏面に冷気ガイド部を設けたことにより、庫内ダクト部材における中央部吹出口から冷蔵室内へ吹き出される冷気の量を多くできるとともに、冷気ダクト内で冷気が滞留することを防止でき、ひいては冷却性能の向上を図ることができる。
【図面の簡単な説明】
【０００９】
【図１】本発明の第１の実施形態を示す冷蔵庫全体の概略的な縦断側面図
【図２】冷蔵室の正面図
【図３】庫内ダクト部材の背面図
【図４】図２中Ｘ１−Ｘ１線に沿う縦断側面図
【図５】図２中Ｘ２−Ｘ２線に沿う縦断側面図
【図６】図２中Ｘ３−Ｘ３線に沿う横断面図
【図７】本発明の第２の実施形態を示す図３相当図
【発明を実施するための形態】
【００１０】
（第１の実施形態）
以下、本発明の第１の実施形態について図１〜図６を参照して説明する。まず、冷蔵庫全体の概略構成を示す図１において、冷蔵庫本体１の断熱箱体２は、鋼板製の外箱３と合成樹脂製の内箱４との間に発泡断熱材５を充填して形成されている。この冷蔵庫本体１の内部には、上から冷蔵室６、野菜室７、冷凍室８が設けられている。これら冷蔵室６、野菜室７、冷凍室８は、貯蔵室として使用される。冷蔵室６と野菜室７との間は仕切壁９により仕切られ、野菜室７と冷凍室８との間は仕切壁１０により仕切られている。冷蔵室６の前面開口部は、横開き式の回動可能な扉６ａによって開閉され、野菜室７及び冷凍室８の前面開口部には、それぞれ引き出し式の扉７ａ，８ａによって開閉されるようになっている。
【００１１】
野菜室７の後部に形成された冷却器室１２に冷却器１３が配設され、この冷却器１３の下方に位置させてファン装置１４が配設されている。ファン装置１４は、送風用のファン１５と、このファン１５を回転させるファンモータ１６により構成されている。冷蔵庫本体１の後部の底部には機械室１７が形成されていて、この機械室１７内にコンプレッサ１８が配設されている。
【００１２】
冷蔵室６の後部には、冷蔵室６用の冷気ダクト２０を前方から覆うように庫内ダクト部材２１が設けられている。冷気ダクト２０は、内箱４と庫内ダクト部材２１との間の空間によって形成されていて、上下方向に延びている。冷気ダクト２０の下部は、前記冷却器室１２に連通している。庫内ダクト部材２１は、図２、図３及び図６に示すように、この場合、矩形の平板状をなす合成樹脂製の庫内ダクト板２２と、この庫内ダクト板２２の左右方向の中央部に組みつけられた合成樹脂製の意匠パネル２３とから構成されている。意匠パネル２３は、上下方向に長い矩形板状をなしている。
【００１３】
庫内ダクト部材２１における庫内ダクト板２２の裏面には、図３に示すように左右両側の上部に位置させて上向きのフックからなる取付部２４（図４、図５の点線参照）が設けられている。庫内ダクト部材２１は、これら両取付部２４を、内箱４に設けられた係合部（図示せず）に下方から挿入係合させるとともに、下端部を冷蔵室６の後部下部に上方から嵌合させることによって、冷蔵室６の後部に取り付けられている。
【００１４】
また、庫内ダクト板２２の裏面には、左右両側部から上部にかけて後方に突出するリブ２６が一体に設けられていて、このリブ２６の後端部にシール材２７が貼り付けられている。そして、リブ２６は、シール材２７を介して内箱４の前面に当接している。なお、図３に示すように、左右の各リブ２６に貼り付けられたシール材２７において、上下方向に指向する部分の上部には、取付部２４の側方に位置させて、シール材２７を無くしてリブ２６の後端面を露出させた切欠部２７ａが形成されている。庫内ダクト部材２１の上部には、左右方向の中央部に位置させて開口部からなる上部吹出口２８が形成されている。この上部吹出口２８は、冷気ダクト２０内と冷蔵室６内とを連通させている。
【００１５】
また、庫内ダクト部材２１における左右方向の中央部分には、上下方向に延びる中央部吹出口３０が、左右方向に４列設けられている。各中央部吹出口３０は、図６に示すように、庫内ダクト板２２及び意匠パネル２３に、断面がほぼ１／４の円弧状をなして後部側（図６において下側）へ窪み、かつ上下方向に延びるように設けられた凹溝３１と、この凹溝３１の一方の側部に形成された開口部３１ａ及び前面部の開口部３１ｂとによって形成されている。各中央部吹出口３０は、冷気ダクト２０内と冷蔵室６内とを連通させている。この場合、上下方向に延びる各列の中央部吹出口３０は、庫内ダクト板２２及び意匠パネル２３に設けられたリブ３２によって、複数個、この場合上下方向に４個ずつに区切られている。
【００１６】
庫内ダクト板２２の裏面には、図３に示すように、意匠パネル２３の左右両側に位置させて一対の冷気ガイド部３３が設けられている。冷気ガイド部３３は、庫内ダクト板２２の上下方向の中央部付近から上部にかけて、冷気ダクト２０を上方に向かって狭めるように、山形状（「ハ」の字状）となるように設けられている。各冷気ガイド部３３は、長手方向に対して幅が狭い幅狭な帯状をなしていて、意匠パネル２３と左右の取付部２４との間に配置されている。この場合、冷気ガイド部３３は、上下方向の中間部３３ａが意匠パネル２３からやや遠ざかるように外側へやや湾曲した形態となっている。各冷気ガイド部３３の裏面は内箱４の前面から少し離間している（図６参照）。
【００１７】
また、庫内ダクト板２２の裏面には、意匠パネル２３の左右両側で、かつ左端の中央部吹出口３０の左横及び右端の中央部吹出口３０の右横に位置させて、横方向に張り出すように張出し部３４が設けられている。左右の張出し部３４は、庫内ダクト板２２の上下方向の中央部よりやや上部から下に３段ずつ配置されている。この場合、冷気ガイド部３３及び張出し部３４は、例えば樹脂を発泡させたソフトテープにより構成されている。各張出し部３４の厚さは、冷気ガイド部３３よほぼ同じ厚さに設定されている。なお、冷気ガイド部３３及び張出し部３４は、庫内ダクト板２２に一体に設けることもできる。特に冷気ガイド部３３としては、冷気（風）を通さない材質のものが好ましい。
【００１８】
なお、図１において、野菜室７の後部には、冷蔵室６内の空気をファン装置１４側へ導くリターンダクト３６が設けられている。また、冷蔵庫本体１には、図示はしないが、冷却器１３により冷却された冷気を冷凍室８へ導くための冷凍室８用の冷気ダクトも設けられている。
【００１９】
次に上記構成の作用を説明する。冷蔵室６を冷却する場合、コンプレッサ１８を駆動した状態でファン装置１４が駆動されると、そのファン装置１４の送風作用により、図１に矢印で示すように、冷却器１３により冷却された冷気が冷却器室１２から冷気ダクト２０内に導入される。冷気ダクト２０内に導入された冷気は、図２及び図３にも矢印で示すように、冷気ダクト２０内を下側から上側に向けて流れる。そして、冷気ダクト２０内を流れる冷気の一部は、各中央部吹出口３０から冷蔵室６内に向けて吹き出される。
【００２０】
このとき、庫内ダクト部材２１の裏面には冷気ガイド部３３が設けられているので、冷気ダクト２０を流れる冷気は冷気ガイド部３３によって左右方向の中央部寄りに集められるようになり、冷気の多くが中央部吹出口３０から冷蔵室６内へ向けて吹き出されるようになる。また、一対の冷気ガイド部３３は、下部側は上部側に比べて広く、上部に行くに従って冷気ダクト２０を狭めるように滑らかに湾曲した形状となっているので、冷気ダクト２０内で冷気が滞留することを防止できる。
【００２１】
しかも、この場合、庫内ダクト部材２１の裏面には、左右の中央部吹出口３０の左横及び右横に位置させて張出し部３４を設けているので、上方へ向けて流れる冷気がその張出し部３４に当たって中央部吹出口３０側へ導かれやすくなり、中央部吹出口３０から冷蔵室６内へ吹き出される冷気の量を一層多くすることができる。
【００２２】
冷気ダクト２０内を上まで流れた冷気は、上部吹出口２８に集められ、当該上部吹出口２８から冷蔵室６内に吹き出される。このようにして冷蔵室６内に吹き出された冷気により、冷蔵室６内及び冷蔵室６内に収納された貯蔵品が冷却される。冷蔵室６内を冷却した冷気の一部は下方の野菜室７内にも供給されて野菜室７も冷却される。
【００２３】
なお、冷凍室８を冷却する場合には、冷却器１３により冷却された冷気が図示しない冷気ダクトを通して冷凍室８内に供給されて冷凍室８が冷却される。
上記した実施形態によれば、次のような作用効果を得ることができる。冷気ダクト２０を前面側から覆う庫内ダクト部材２１の裏面に一対の冷気ガイド部３３を設けたことにより、庫内ダクト部材２１における中央部吹出口３０から冷蔵室６内へ吹き出される冷気の量を多くできるとともに、冷気ダクト２０内で冷気が滞留することを防止でき、ひいては冷却性能の向上を図ることができる。
【００２４】
冷気ガイド部３３は、庫内ダクト部材２１の上下方向の中央部付近から上部にかけて配置した構成としていて、下部には設けていないので、冷気ガイド部３３を設ける範囲を極力少なくできるとともに、冷気ダクト２０の下部を広く確保して冷気を冷気ダクト２０内に導入しやすくできる利点がある。
【００２５】
庫内ダクト部材２１の裏面において、中央部吹出口３０の横に位置させて横方向に張り出す張出し部３４を設けたことにより、冷気ダクト２０内を上方に向けて流れる冷気を中央部吹出口３０へ一層多く案内することができ、中央部吹出口３０から冷蔵室６内へ吹き出される冷気の量を一層多くすることができる。しかもこの場合、張出し部３４は左右両側において、上下方向に複数段ずつ設けているので、中央部吹出口３０から冷蔵室６内へ吹き出される冷気の量を、より一層多くすることができる。
【００２６】
（第２の実施形態）
図７は本発明の第２の実施形態を示したものであり、この第２の実施形態は上記した第１の実施形態とは次の点が異なっている。すなわち、庫内ダクト部材２１（庫内ダクト板２２）の裏面に設けた一対の冷気ガイド部４０は、冷気ダクト２０を上方に向かって狭める形態ではあるが、上下方向の中間部４０ａが意匠パネル２３側へ突出するように湾曲した形態となっている。
このような構成としても第１の実施形態と同様な作用効果を得ることができる。
【００２７】
（その他の実施形態）
本発明は上記した両実施形態に限られず、次のように変形または拡張することができる。
冷蔵庫としては、１個の冷却器で、冷蔵室６、野菜室７、冷凍室８を冷却する構成のものに限られず、本発明は、冷蔵温度帯の冷蔵室及び野菜室を冷却する冷蔵用冷却器と、冷凍温度帯の冷凍室や製氷室を冷却する冷凍用冷却器とを設けた冷蔵庫にも適用することができる。
庫内ダクト部材２１としては、庫内ダクト板２２と意匠パネル２３の２部材で構成するものに代えて、一部材で構成することもできる。
【符号の説明】
【００２８】
図面中、１は冷蔵庫本体、６は冷蔵室、１３は冷却器、１４はファン装置、２０は冷気ダクト、２１は庫内ダクト部材、２２は庫内ダクト板、２３は意匠パネル、２４は取付部、２８は上部吹出口、３０は中央部吹出口、３３は冷気ガイド部、３４は張出し部、４０は冷気ガイド部を示す。
【図１】
2011080693.tif 000003
【図２】
2011080693.tif 000004
【図３】
2011080693.tif 000005
【図４】
2011080693.tif 000006
【図５】
2011080693.tif 000007
【図６】
2011080693.tif 000008
【図７】
2011080693.tif 000009